(57)【要約】      （修正有）【課題】複数のＬＥＤランプを備え調光制御可能に構成された照明システムにおいて、比較的簡単にＬＥＤランプの増設や変更を行えるようにする。【解決手段】照明器具１１を駆動する電流を出力し、前記電流を制御することで前記照明器具の照度を制御可能な電源制御装置を備えた照明システムにおいて、電源制御装置１２は、所定の周波数の無線信号を受信可能な受信器２４と、所定の機器識別コードを保持する設定テーブルを記憶する記憶手段と、受信器が受信した無線信号に含まれるコードと設定テーブルに保持されている機器識別コードとを比較して一致した場合に制御信号を出力する制御信号生成回路と、該制御信号に応じた電流を生成し出力する電流出力回路２０Ｂとを備え、設定テーブルに保持されている機器識別コードが変更されることにより、所望の無線信号送信機器１４からの無線信号に応答して照明器具の照度を制御するように構成した。【選択図】図２
2011249062.tif 000002
【特許請求の範囲】
【請求項１】
照明器具を駆動する電流を出力し、前記電流を制御することで前記照明器具の照度を制御可能な電源制御装置であって、
所定の周波数の無線信号を受信可能な受信器と、
所定の機器識別コードを保持する設定テーブルを記憶する書き換え可能な記憶手段と、
前記受信器が受信した無線信号に含まれるコードと前記設定テーブルに保持されている機器識別コードとを比較して一致した場合に制御信号を出力する制御信号生成回路と、
前記制御信号生成回路からの前記制御信号に応じた電流を生成し出力する電流出力回路と、
を備え、前記設定テーブルに所望の無線信号送信機器の識別コードが設定されることにより、所望の無線信号送信機器からの無線信号に応じて前記照明器具の照度を制御するように構成されていることを特徴とする電源制御装置。
【請求項２】
前記設定テーブルは複数の機器識別コードを保持可能に構成され、前記設定テーブルに保持されている機器識別コードに対応する複数の無線信号送信機器からの無線信号に応じて前記照明器具の照度を制御するように構成されていることを特徴とする請求項１に記載の電源制御装置。
【請求項３】
前記設定テーブルは、前記機器識別コードの他に、前記電流出力回路が出力すべき電流の変化のさせ方を指定する機能コードを保持可能に構成され、
前記制御信号生成回路は、前記受信器が受信した無線信号に含まれるコードと前記設定テーブルに保持されている機器識別コードとを比較して一致した場合に、前記設定テーブルに保持されている機能コードに対応した制御信号を出力するように構成されていることを特徴とする請求項１または２に記載の電源制御装置。
【請求項４】
前記設定テーブルは、前記複数の機器識別コードのそれぞれに対応して前記電流出力回路が出力すべき電流の変化のさせ方を指定する機能コードを保持可能に構成され、
前記制御信号生成回路は、前記受信器が受信した無線信号に含まれるコードと一致する機器識別コードに対応して前記設定テーブルに保持されている機能コードに対応した制御信号を出力するように構成されていることを特徴とする請求項２に記載の電源制御装置。
【請求項５】
前記設定テーブルは、第１機能の無線信号送信機器を識別するための第１機器識別コードと、第２機能の無線信号送信機器を識別するための第２機器識別コードとを保持可能に構成され、
前記制御信号生成回路は、前記受信器が受信した無線信号に含まれるコードと前記設定テーブルに保持されている機器識別コードとを比較して第２機器識別コードと一致した場合に、前記設定テーブルに保持されているコードを書換え可能な状態に移行することを特徴とする請求項１〜４のいずれかに記載の電源制御装置。
【請求項６】
請求項３〜５のいずれかに記載の電源制御装置と、該電源制御装置により点灯駆動される照明器具と、スイッチボタンおよび該スイッチボタンの操作力を電気エネルギーに変換するエネルギー自給装置を有する無線信号送信機器と、を備えた照明システムであって、
前記無線信号送信機器は、自己の機器識別コードを記憶する記憶手段と、所定の周波数の無線信号を送信可能な送信器とを備え、前記スイッチボタンが操作された際に前記機器識別コードを含む無線信号を送信するように構成されていることを特徴とする照明システム。
【請求項７】
キー入力手段と、自己の機器識別コードおよび前記設定テーブルの書き換えを指示する機能コードを記憶する記憶手段と、所定の周波数の無線信号を送信可能な送信器とを有する第２機能の無線信号送信機器を備え、前記第２機能の無線信号送信機器は、前記キー入力手段が操作された際に自己の機器識別コードおよび機能コードを含む無線信号を送信するように構成されていることを特徴とする請求項６に記載の照明システム。
【請求項８】
前記第２機能の無線信号送信機器は、前記送信器により送信する無線信号に含まれる機能コードに応答して動作すべき電源制御装置を指定する機器識別コードを含んだ無線信号を送信可能に構成されていることを特徴とする請求項７に記載の照明システム。
【請求項９】
請求項３〜５のいずれかに記載の電源制御装置と、
該電源制御装置により点灯駆動される照明器具と、
入力手段と、記憶手段と、所定の周波数の無線信号を送信可能な送信器と、前記記憶手段に記憶されているプログラムに従って動作し前記入力手段からの入力に応じて前記送信器を制御する制御手段と、を有する無線信号送信機器と、
を備えた照明システムであって、
前記制御手段は、前記電源制御装置ごとに付与されている機器識別コードを順次生成する機器識別コード生成機能と、生成された機器識別コードおよび点灯または点滅を指令するコマンドコードを前記送信器により送信させる送信機能とを備えるように構成されていることを特徴とする照明システム。
【発明の詳細な説明】
【技術分野】
【０００１】
本発明は、照明器具の電源制御装置さらにはＬＥＤ照明の点灯／消灯および調光を制御する電源制御装置に関し、特に遠隔操作機器を使用して調光制御を行うＬＥＤ照明の電源制御装置およびそれを用いた照明システムに関する。
【背景技術】
【０００２】
近年、二酸化炭素の排出量を低減するため、消費電力の大きな白熱灯に代わって消費電力の少ないＬＥＤ照明が普及しつつある。かかるＬＥＤ照明装置において、デューティあるいは周波数が可変なパルス信号からなる第１調光信号と、電圧振幅が可変なパルス信号からなる第２調光信号とに基づいて調光を制御する技術が提案されている（特許文献１）。
【先行技術文献】
【特許文献】
【０００３】
【特許文献１】特開２００９−３０１８７６号公報
【発明の概要】
【発明が解決しようとする課題】
【０００４】
特許文献１に記載されている調光制御技術は、有線方式であるため敷設後における変更が面倒であるという問題点がある。具体的には、比較的広い建造物の天井に照明器具を敷設する場合、複数の照明器具を所定の間隔をおいて取り付けることがあるが、これら複数の照明器具の調光を制御する照明システムを構築する場合、一般には、図１３に示すように、複数の電源スイッチＳＷ１，ＳＷ２……と調光用ダイヤルＤＬ１，ＤＬ２……を設ける。なお、図１３においては、１組のスイッチおよび調光用ダイヤルに対して、１つの照明器具ＬＥＤが接続されたものが示されているが、実際には１組のスイッチおよび調光用ダイヤルに対して複数の照明器具が接続される。
【０００５】
しかるに、建物の増改築や内装の変更等に伴い、図１２（Ａ）に示すように、既に設置されている照明器具ＬＥＤの数を変更（増加または減少）したり、図１２（Ｂ）に示すように、電源スイッチＳＷや調光用ダイヤルＤＬにより制御される照明器具ＬＥＤの組み合わせを変更したい場合がある。ところが、建造物が大きく敷設する照明器具の数が多くなればなるほど配線の本数が増大するため、従来の技術を適用した照明システムにあっては、配線やスイッチの増設、切替え用のリレーの増設や変更等の工事が複雑かつ大掛かりになってしまうという課題がある。
【０００６】
また、倉庫や展示会場のような天井の高い設備、冷蔵室等の工事環境が劣悪な設備、建物の構造上配線のスペースが狭い場合など、照明器具の増設や変更等の工事が困難な場合もある。なお、図１２において、ＬＥＤはランプと電源ユニット（ドライバを含む）とが一体となった照明器具である。
【０００７】
この発明は上記のような課題に着目してなされたもので、その目的とするところは、複数の照明器具を備え調光制御可能に構成された照明システムにおいて、比較的簡単に照明器具の増設や変更を行えるようにすることにある。
【課題を解決するための手段】
【０００８】
上記目的を達成するため、本発明は、
照明器具を駆動する電流を出力し、前記電流を制御することで前記照明器具の照度を制御可能な電源制御装置であって、
所定の周波数の無線信号を受信可能な受信器と、
所定の機器識別コードを保持する設定テーブルを記憶する書き換え可能な記憶手段と、
前記受信器が受信した無線信号に含まれるコードと前記設定テーブルに保持されている機器識別コードとを比較して一致した場合に制御信号を出力する制御信号生成回路と、
前記制御信号生成回路からの前記制御信号に応じた電流を生成し出力する電流出力回路と、
を備え、前記設定テーブルに所望の無線信号送信機器の識別コードが設定されることにより、所望の無線信号送信機器からの無線信号に応じて前記照明器具の照度を制御するように構成したものである。
【０００９】
上記のような構成によれば、電源制御装置（ＬＥＤ電源ユニット）内の設定テーブルに保持されている機器識別コード（ＩＤコード）を変更することにより、応答すべき無線信号送信機器（無線スイッチ）を変えることができるため、比較的簡単に照明器具（ＬＥＤランプ）の増設や変更を行うことができるようになる。「照明器具」の照度には、照度「０」すなわち消灯（ＯＦＦ）が含まれる。
【００１０】
ここで、望ましくは、前記設定テーブルは複数の機器識別コードを保持可能に構成され、前記設定テーブルに保持されている機器識別コードに対応する複数の無線信号送信機器からの無線信号に応じて前記照明器具の照度を制御するように構成する。これにより、複数の無線信号送信機器（無線スイッチ）によって制御される照明器具の組み合わせを自由に設定することができる。
【００１１】
また、望ましくは、前記設定テーブルは、前記機器識別コードの他に、前記電流出力回路が出力すべき電流の変化のさせ方を指定する機能コードを保持可能に構成され、前記制御信号生成回路は、前記受信器が受信した無線信号に含まれるコードと前記設定テーブルに保持されている機器識別コードとを比較して一致した場合に、前記設定テーブルに保持されている機能コードに対応した制御信号を出力するように構成する。これにより、制御される照明器具ごとに無線信号送信機器（無線スイッチ）の操作に対する照度の変化の仕方を変えることができるようになる。
【００１２】
さらに、望ましくは、前記設定テーブルは、前記複数の機器識別コードのそれぞれに対応して前記電流出力回路が出力すべき電流の変化のさせ方を指定する機能コードを保持可能に構成され、前記制御信号生成回路は、前記受信器が受信した無線信号に含まれるコードと一致する機器識別コードに対応して前記設定テーブルに保持されている機能コードに対応した制御信号を出力するように構成する。
これにより、無線信号送信機器（無線スイッチ）ごとに制御される照明器具の照度の変化の仕方を自由に設定することができるようになる。
【００１３】
さらに、望ましくは、前記設定テーブルは、第１機能の無線信号送信機器を識別するための第１機器識別コードと、第２機能の無線信号送信機器を識別するための第２機器識別コードとを保持可能に構成され、前記制御信号生成回路は、前記受信器が受信した無線信号に含まれるコードと前記設定テーブルに保持されている機器識別コードとを比較して第２機器識別コードと一致した場合に、前記設定テーブルに保持されているコードを書換え可能な状態に移行するように構成する。
これにより、通常の照明制御に使用する無線信号送信機器（無線スイッチ）からの信号と、設定テーブルの変更に使用する無線信号送信機器（リモートコントローラ）からの信号に対して、電源制御装置（ＬＥＤ電源ユニット）が自動的にそれらを区別して対応する制御や動作を行うことができる。
【００１４】
また、本出願に係る照明システムは、上記のような構成を有する電源制御装置と、該電源制御装置により点灯駆動される照明器具と、スイッチボタンおよび該スイッチボタンの操作力を電気エネルギーに変換するエネルギー自給装置を有する無線信号送信機器と、を備えた照明システムであって、
前記無線信号送信機器は、自己の機器識別コードを記憶する記憶手段と、所定の周波数の無線信号を送信可能な送信器とを備え、前記スイッチボタンが操作された際に前記機器識別コードを含む無線信号を送信するように構成したものである。
上記のような構成によれば、無線信号送信機器（無線スイッチ）に電池を内蔵する必要がないため、電池切れによる不具合を回避することができる。
【００１５】
ここで、望ましくは、キー入力手段と、自己の機器識別コードおよび前記設定テーブルの書き換えを指示する機能コードを記憶する記憶手段と、所定の周波数の無線信号を送信可能な送信器とを有する第２機能の無線信号送信機器を備え、前記第２機能の無線信号送信機器は、前記キー入力手段が操作された際に自己の機器識別コードおよび機能コードを含む無線信号を送信するように構成する。
通常の照明制御に使用する無線信号送信機器（無線スイッチ）と、設定テーブルの変更に使用する無線信号送信機器（リモートコントローラ）とを別個の装置として構成することにより、数多く必要とする照明制御用の無線信号送信機器（無線スイッチ）を簡略化してトータルのシステムコストを低減することができるようになる。
【００１６】
さらに、望ましくは、前記第２機能の無線信号送信機器は、前記送信器により送信する無線信号に含まれる機能コードに応答して動作すべき電源制御装置を指定する機器識別コードを含んだ無線信号を送信可能に構成する。これにより、設定テーブルの変更をしたい電源制御装置（ＬＥＤ電源ユニット）のみを指定して簡単に設定モードを変更することができるようになる。
【００１７】
また、本出願の他の発明に係る照明システムは、
上記のような構成を有する電源制御装置と、
該電源制御装置により点灯駆動される照明器具と、
入力手段と、記憶手段と、所定の周波数の無線信号を送信可能な送信器と、前記記憶手段に記憶されているプログラムに従って動作し前記入力手段からの入力に応じて前記送信器を制御する制御手段と、を有する無線信号送信機器と、
を備えた照明システムであって、
前記制御手段は、前記電源制御装置ごとに付与されている機器識別コードを順次生成する機器識別コード生成機能と、生成された機器識別コードおよび点灯または点滅を指令するコマンドコードを前記送信器により送信させる送信機能とを備えるように構成したものである。
上記のような構成によれば、設定変更をしたい電源制御装置（ＬＥＤ電源ユニット）の機器識別コードが分かっていない場合においても、無線信号送信機器（リモートコントローラ）によって所望の電源制御装置の内部の設定変更を行うことができる。
【発明の効果】
【００１８】
以上説明したように、本発明に従うと、複数の照明器具を備え調光制御可能に構成された照明システムにおいて、比較的簡単に照明器具の増設や変更を行うことができるという効果がある。
【図面の簡単な説明】
【００１９】
【図１】本発明を適用した照明システムの第１実施形態を示す概略構成図である。
【図２】第１実施形態の照明システムにおけるＬＥＤランプの電源制御装置（電源ユニット）の回路構成例を示すブロック図である。
【図３】第１実施形態の照明システムにおいて第１の制御方式によりＬＥＤランプの照度を変化させる制御を行う場合のカウンタ回路の計数値（カウント値）とＬＥＤ照度との関係を示す説明図である。
【図４】第１実施形態の照明システムにおいて、複数の無線スイッチにより調光制御されるＬＥＤランプの設定を変更した場合のグループ構成の変化を示す説明図である。
【図５】（Ａ）は従来のスポットライトを使用した第１実施形態の照明システムにおけるＬＥＤランプの配置例を示す説明図、（Ｂ）はスポットライトを使用した照明システムに第１実施形態を適用してＬＥＤランプの設定を変更した場合のグループ構成の変化を示す説明図である。
【図６】第１実施形態の第１の変形例の照明システムにおける複数の無線スイッチにより調光制御されるＬＥＤランプの設定例を示す説明図である。
【図７】第１実施形態の第２の変形例におけるＬＥＤランプの電源制御装置の回路構成例を示すブロック図である。
【図８】第１実施形態の第３の変形例におけるＬＥＤランプの電源制御装置の回路構成例を示すブロック図である。
【図９】第２実施形態の照明システムにおいて、電源制御装置の設定テーブルに設定される機能コードと無線スイッチにより調光制御されるＬＥＤランプの動作との関係を示す説明図である。
【図１０】（Ａ）は本発明の第１実施形態および第２実施形態で用いられる無線スイッチの回路構成例を示すブロック図、（Ｂ）は第２実施形態で用いられるリモートコントローラの回路構成例を示すブロック図である。
【図１１】第２実施形態におけるリモートコントローラによる無線スイッチのテーブルの設定変更処理の手順の一例を示すフローチャートである。
【図１２】従来の照明システムにおける設定変更の仕方を示す説明図である。
【図１３】従来の照明システムの一例を示す概略構成図である。
【発明を実施するための形態】
【００２０】
以下、本発明の好適な実施の形態を図面に基づいて説明する。
図１は、複数のＬＥＤランプを使用し無線スイッチで制御する本発明に係る照明システムの第１の実施形態を示す。
【００２１】
本実施形態の照明システムは、図１に示すように、建造物の天井に下向き取り付けられた照明器具としてのＬＥＤランプ１１ａ，１１ｂ……と、各ランプに対応してそれぞれ設けられ電源を供給する電源制御装置としてのＬＥＤ電源ユニット１２ａ，１２ｂ……と、照明システム全体の電源をオン、オフするための主電源スイッチ１３と、ＬＥＤ電源ユニット１２ａ，１２ｂ……へ調光制御のための無線信号を送信する無線スイッチ１４Ａ，１４Ｂ……とを備える。
【００２２】
そして、共通のＡＣ電源１０からＬＥＤ電源ユニット１２ａ，１２ｂ……へＡＣ電源電圧を供給する電源配線１５が建造物の壁内から天井裏にかけて敷設されている。上記ＬＥＤ電源ユニット１２ａ，１２ｂ……と対応するＬＥＤランプ１１ａ，１１ｂ……とは、ケーブル１６ａ，１６ｂ……で接続されている。なお、主電源スイッチ１３は省略することも可能である。
【００２３】
無線スイッチ１４Ａ，１４Ｂ……は、一種の遠隔操作機器であり、持ち運び可能な大きさ（手の平サイズ）のケースの表面にスイッチボタン１４ａを備え、内部にスイッチボタン１４ａの操作による動きを利用して電力を発生する発電機のような電気機械トランスデューサと、２．４ＧＨｚのような無線信号（電波）を出力する送信器とが内蔵されている。なお、このような構造および機能を有するバッテリが不要なエネルギー自給方式の無線スイッチに用いられる電気機械トランスデューサとしては、従来より種々の構成のものが知られているので、詳しい説明は省略する。
【００２４】
また、本実施形態の照明システムに使用される無線スイッチ１４Ａ，１４Ｂ……は、各々固有の機器識別コード（以下、ＩＤコードと称する）が付与され、無線信号にＩＤコードを乗せて送信するように構成されている。具体的には、所定周波数の搬送波に振幅変調あるいは周波数変調をかけて送信すれば良い。
上記無線スイッチ１４は、図１０（Ａ）に示すように、電力を発生する電気機械トランスデューサ４１と、ＩＤコードを不揮発的に記憶するＲＯＭ（リードオンリメモリ）４２と、ＩＤコードを送信する送信器４３を備える。一方、無線スイッチ１４Ａ，１４Ｂ……からの無線信号を受信するＬＥＤ電源ユニット１２ａ，１２ｂ……には、予め対応付けられた無線スイッチのＩＤコードを認識する機能が設けられ、所定の無線スイッチからの無線信号を受信すると自己の制御下のＬＥＤランプに対して調光制御を実行するように構成されている。
【００２５】
図２には、本実施形態の照明システムを構成するＬＥＤ電源ユニット１２の構成例が示されている。
図２のＬＥＤ電源ユニット１２は、ＬＥＤランプ１１を定電流で駆動するための駆動電流を出力する電流駆動回路（電流源）２１と、該電流駆動回路２１を制御してＬＥＤランプ１１に流す電流の大きさを変える電流制御回路２２と、ＡＣ電源を受けて上記電流駆動回路２１および電流制御回路２２の動作に必要な直流電源電圧Ｖｃｃ２を生成するメイン電源としてのＡＣ−ＤＣ変換回路２３を備える。
【００２６】
また、ＬＥＤ電源ユニット１２は、前記無線スイッチ１４からの無線信号を受信する受信器２４と、該受信器２４からのパルス信号を計数するカウンタ回路２５と、該カウンタ回路２５の出力（カウント値）をデコードするデコーダ回路２６と、ＡＣ電源を受けて上記受信器２４、カウンタ回路２５およびデコーダ回路２６の動作に必要な直流電源電圧Ｖｃｃ１を生成するサブ電源としてのＡＣ−ＤＣ変換回路２７、無線スイッチからの信号（ＩＤコード）を解読しカウンタ回路２５やデコーダ回路２６等ユニット内の回路を制御する機能を有するマイクロコンピュータ（以下、マイコンと称する）２８、電源ユニットの本体ケースの表面に設けられた設定用スイッチ２９を備える。
【００２７】
上記マイコン２８は、予め対応付けられた無線スイッチのＩＤコードを記憶するメモリを内蔵しており、受信器２４により上記無線スイッチ１４からの無線信号（ＩＤコード）を受信すると、受信したＩＤコードと自己が記憶しているＩＤコードとを比較し、一致するとデコーダ回路２６へイネーブル信号（動作許可信号）ＥＮを出力するように構成されている。
また、受信器２４は上記無線スイッチ１４からの無線信号を受信するとワンショットパルス信号を出力するように構成されているとともに、カウンタ回路２５は、例えば３ビットで構成され、受信器２４がＩＤコードを受信するごとに１つずつ計数値をカウントアップして最大で８個までパルスを計数する。そして、デコーダ回路２６は、マイコン２８からイネーブル信号ＥＮが入力されると、カウンタ回路２５のカウント値をデコードして電流制御信号を出力するように構成されている。また、カウンタ回路２５はマイコン２８によってリセット可能に構成される。
【００２８】
受信器２４、カウンタ回路２５およびデコーダ回路２６の動作に必要な直流電源電圧Ｖｃｃ１を生成するサブ電源としてのＡＣ−ＤＣ変換回路２７は、常時ＡＣ電圧を直流電圧に変換する。一方、電流駆動回路２１および電流制御回路２２の動作に必要な直流電源電圧Ｖｃｃ２を生成するメイン電源としてのＡＣ−ＤＣ変換回路２３は、ＬＥＤランプ消灯中はＡＣ電圧を直流電圧に変換する動作を停止するように構成されている。
【００２９】
具体的には、例えば、ＬＥＤ非点灯中に受信器２４に、対応する無線スイッチ１４からの無線信号が入って来ると、メイン電源としてのＡＣ−ＤＣ変換回路２３が起動されて、電流駆動回路２１および電流制御回路２２が動作可能となる。また、電流制御回路２２から出力される駆動電流がゼロとなってＬＥＤが消灯状態に切り替わると、メイン電源としてのＡＣ−ＤＣ変換回路２３がオフするように構成される。上記のように、ＬＥＤランプ消灯中はメイン電源がオフされることによって、ＬＥＤ電源ユニット１２の消費電力（待機電力）が少なくて済むようになっている。
【００３０】
次に、サブ電源で動作するサブ電源系回路２０Ａの受信器２４、マイコン２８、カウンタ回路２５およびデコーダ回路２６の詳しい動作（調光制御）について説明する。図２のような構成を有する電源ユニットによって実現可能な調光制御としては、以下に説明するような方式が考えられる。
【００３１】
第１の制御方式は、受信器２４が無線スイッチ１４からの無線信号を受信するごとにカウンタ回路２５の計数値をカウントアップして、その計数値に応じてＬＥＤランプ１１の明るさを変化させる制御である。また、第２の制御方式は、ＬＥＤランプ１１を赤色ＬＥＤと青色ＬＥＤと緑色ＬＥＤの３色のＬＥＤを内蔵した照明器具で構成し、受信器２４が対応する無線スイッチ１４からの無線信号を受信するごとにカウンタ回路２５の計数値をカウントアップして、その計数値に応じてＬＥＤランプ１１の発光色を変化させる制御である。
【００３２】
図３には、第１の制御方式によりＬＥＤランプ１１の明るさすなわち照度を変化させる制御を行う場合のカウンタ回路２５の計数値（カウンタ値）とＬＥＤ照度との関係を示す。なお、図３において、照度を示す「１」〜「７」の数字は値が大きいほど明るく、値が小さいほど暗くなることを、また、「０」は消灯状態を意味している。ここで、ＬＥＤランプは流れる電流が大きいほど明るく発光する。従って、図３の照度を示す数字の値が大きいほど大きなＬＥＤ駆動電流が電流駆動回路２１から出力されることを意味する。
【００３３】
図３の制御方式では、カウンタ回路２５の値と照度を示す値は逆に変化する。つまり、カウンタ回路２５の値が「１」から順に大きくなるに従って、出力電流が減少されて、照度は「７」から順に小さくなる。また、カウンタ回路２５の値が「７」（照度が「１」）のときに無線スイッチ１４から信号が入ると計数値は「０」に戻り、ランプは消灯状態となるように制御される。カウンタ回路２５は、アップカウンタでなくダウンカウンタであっても良い。
【００３４】
図１の照明システムに第１の制御方式を適用し例えば無線スイッチ１４Ａと電源ユニット１２ａとをＩＤコードで対応付けした場合には、無線スイッチ１４Ａを操作すると該スイッチからの信号を複数のランプの電源ユニットが同時に受信し、このうち無線スイッチ１４Ａに対応付けされた電源ユニット１２ａのカウンタ回路２５およびデコーダ回路２６が動作することによって、電源ユニット１２ａに接続されているＬＥＤランプ１１ａの照度が変化するように制御される。
図３の構成に従うと、無線スイッチ１４から最初の無線信号が入ると、対応するＬＥＤランプ１１が最も高い照度で点灯し、その後、無線信号が入る毎に、一段階ずつ照度が低下するように制御されることとなる。第２の制御方式のランプの発光色を変化させる制御においても、図２のデコーダ回路２６を適宜設計変更することで、対応する無線スイッチからの無線信号に応じて発光色を変化させる電源ユニットを実現することができる。
【００３５】
次に、設定モードの変更すなわち無線スイッチと電源ユニットとの対応付け（ペアリング）の変更について説明する。
本実施形態のＬＥＤ電源ユニット１２内のマイコン２８は、ケース表面に設けられた設定用スイッチ２９がオンされると、制御状態から設定状態へ移行し該設定状態になっているときに受信器２４が受信したＩＤコードを、それまでメモリ（ＳＷテーブル）に記憶していたＩＤコードに置き換えて、或いは追加して記憶するように構成されている。
【００３６】
そのため、既に敷設されている照明システムにおいても、設定を変更したいＬＥＤ電源ユニット１２内に記憶されているスイッチのＩＤコードを書き換えることで、所定の無線スイッチにより制御されるＬＥＤランプの対応付け（ペアリング）を変更することができる。また、ＬＥＤランプを増設する場合にも、設定用スイッチ２９をオン操作して、既に敷設されているＬＥＤランプのうち同時に調光制御したいＬＥＤランプと対応付けられている無線スイッチを操作して無線信号（ＩＤコード）を送信させると、電源ユニット１２内のマイコン２８が内部メモリ（ＳＷテーブル）のＩＤコードを書き換え、あるいは追加登録、もしくは新規登録する。
【００３７】
従って、その後、マイコン２８はＳＷテーブルにＩＤコードが登録されている無線スイッチが操作された場合にのみ自己の制御下のＬＥＤランプを調光制御するので、例えば図４に示すように、無線スイッチＳＷ１によりＬＥＤ１，ＬＥＤ２が、また無線スイッチＳＷ２によりＬＥＤ３，ＬＥＤ４が調光制御されるように設定されていた照明システムを、無線スイッチＳＷ１によりＬＥＤ１，ＬＥＤ２，ＬＥＤ５が、また無線スイッチＳＷ２によりＬＥＤ３、無線スイッチＳＷ３によりＬＥＤ４が調光制御されるように設定された照明システムに変更することができる。
【００３８】
また、衣料品などの商品売り場やイベント会場等において使用されている１本のレールで複数のスポットライトに電源を供給する図５（Ａ）に示すような照明システムでは、従来は同一レール上に設置された複数の照明器具をそれぞれ独立して調光制御することはできなかった。しかし、上述した実施例を適用することで、図５（Ｂ）に示すように、初期設定においてはランプ１，２，３と、ランプ４，５と、ランプ６，７，８がそれぞれグループをなすように設定されていたものを、設定モードの変更によって、例えばランプ１，２と、ランプ３，４と、ランプ５，６と、ランプ７，８がそれぞれグループをなす照明システムとして再構築することができるようになる。
【００３９】
（変形例１）
次に、前記実施形態の照明システムを構成するＬＥＤ電源ユニット１２の第１の変形例について説明する。第１の変形例は、図２の実施例において、ＬＥＤ電源ユニット１２のマイコン２８内のメモリ（ＳＷテーブル）に複数の無線スイッチのＩＤコードを設定可能にし、マイコン２８は受信したＩＤコードがメモリ（ＳＷテーブル）に設定されているいずれかのＩＤコードと一致すれば調光制御を行うようにしたものである。
【００４０】
この変形例によれば、例えば図６に示すように、ランプＬＥＤ４の電源ユニット内のメモリ（ＳＷテーブル）に、無線スイッチＳＷ１のＩＤコードとＳＷ２のＩＤコードを格納しておくことで、ランプＬＥＤ４は無線スイッチＳＷ１が操作された場合も無線スイッチＳＷ２が操作された場合も調光制御されるような照明システムを実現することができる。
【００４１】
（変形例２）
次に、前記実施形態の照明システムを構成するＬＥＤ電源ユニット１２の第２の変形例について説明する。第２の変形例は、電源ユニットの本体ケースに設定用スイッチ２９を設ける代わりに、図７に示すようにコネクタ２９ａを設けるとともに、電源ユニットとは別個に受信器２４を内蔵した受信ユニット３０を用意し、該受信ユニット３０に上記コネクタ２９ａと挿脱可能なコネクタ３１と、コード格納用メモリ（ＲＯＭ）３２とを設けたものである。
【００４２】
上記コード格納用メモリ３２には、対応付けしたい無線スイッチ１４のＩＤコードが格納されている。そして、この受信ユニット３０がコネクタを介してＬＥＤ電源ユニット１２に接続されると、コード格納用メモリ３２に格納されているＩＤコードがマイコン２８によって読み出されるように構成されている。この変形例においては、メモリ３２にそれまでと異なるＩＤコードが格納されている受信ユニット３０を差し替えることによって、異なる無線スイッチで調光制御指令を与えることができるようになる。
【００４３】
従って、上述した実施例よりも設定モードの変更が簡単に行えるという利点がある。また、上述した実施例では電源が遮断されてもスイッチのＩＤコードを保持できるようにするには、ＬＥＤ電源ユニット１２にバックアップ電池を内蔵するかマイコン２８として内部にフラッシュメモリのようなデータの書き換えが可能な不揮発性メモリを有するものを使用する必要があるが、本変形例ではそのような必要性がないという利点がある。
【００４４】
なお、受信器２４とコード格納用メモリ３２を内蔵した受信ユニット３０を挿脱可能に構成する代わりに、受信器２４はＬＥＤ電源ユニット１２に内蔵しておいて、ＩＤコードが格納されているメモリカードを挿脱可能に構成しても良い。ただし、上記変形例のように受信器２４とコード格納用メモリ３２を内蔵した受信ユニットとすることによって、無線信号の周波数を変更する場合に容易に対応することができるという利点がある。
【００４５】
（変形例３）
次に、前記実施形態の照明システムを構成するＬＥＤ電源ユニット１２の第３の変形例について説明する。第３の変形例は、電源ユニットの本体ケースに設定用スイッチ２９（図２）を設ける代わりに、図８に示すようにコネクタ２９ａを設けるとともに、データ転送用の専用機器４０を用意し、データ転送用専用機器４０を、上記コネクタ２９ａを介してＬＥＤ電源ユニット１２に接続して、有線方式で所望の無線スイッチのＩＤコードをマイコン２８へ転送可能に構成したものである。
【００４６】
この変形例３も、前述した実施例に比べて設定モードの変更が簡単に行えるという利点がある。なお、データ転送用専用機器４０を、コネクタを介してＬＥＤ電源ユニット１２に接続する代わりに、無線方式のデータ設定用のリモートコントローラを用意して、受信器２４を介して所望の無線スイッチのＩＤコードをマイコン２８へ送信するように構成しても良い。
【００４７】
この場合、リモートコントローラは、独自のＩＤコードを送信するように構成するとともに、ＬＥＤ電源ユニット１２のマイコン２８はリモートコントローラのＩＤコードを書き換え可能な不揮発メモリに記憶し、リモートコントローラのＩＤコードを受信した時は設定状態に移行し、その後送信されて来る無線スイッチのＩＤコードをメモリ（ＳＷテーブル）に設定することで無線スイッチとのペアリングを変更できるように構成すれば良い。
【００４８】
次に、本発明に係る照明システムの第２の実施形態について説明する。
第２の実施形態の照明システムは、図２に示されているようなＬＥＤ電源ユニット１２において、マイコン２８内のメモリ（ＳＷテーブル）に、対応付けさせる無線スイッチのＩＤコードの他に、制御モード（電流出力回路が出力する電流の変化のさせ方等）を指定する機能コードを設定可能にするとともに、マイコン２８はＳＷテーブルに設定された機能コードとカウンタ回路２５の値とに基づいて所定の制御コードをデコーダ２６に出力し、デコーダ２６が制御コードをデコードすることでＬＥＤ電流制御信号を出力して調光制御するように構成したものである。
【００４９】
ここで、機能コードとしては、例えば図９（Ａ），（Ｂ），（Ｃ）に示すように、対応する無線スイッチの無線信号が入ってくる度にＬＥＤランプをオンまたはオフにする動作を交互に繰り返す制御モードを指定するもの（機能コード＃１）、対応する無線スイッチの無線信号を計数してカウント値に応じてＬＥＤランプを例えばＯＦＦ→３０％→８０％→１００％のように徐々に明るくする制御モードを指定するもの（機能コード＃２）、対応する無線スイッチの無線信号を計数してカウント値に応じてＬＥＤランプを例えば１００％→８０％→３０％→ＯＦＦのように徐々に暗くする制御モードを指定するもの（機能コード＃３）などがある。
【００５０】
また、この実施形態のＬＥＤ電源ユニット１２においては、図９（Ｄ）に示すように、マイコン２８内のメモリ（ＳＷテーブル）に、複数の無線スイッチのＩＤコードを設定できるとともに、登録されたＩＤコード毎に機能コードを設定できるように構成されている。これにより、例えばＩＤコード＃１の無線スイッチＳＷ１が操作されると明るさが段階的に変化し、ＩＤコード＃２の無線スイッチＳＷ２が操作されるとオン／オフ動作を繰り返すように動作させることができる。
【００５１】
なお、機能コードとしては、上記機能コードの他に、対応する無線スイッチの無線信号を計数してカウント値に応じてＬＥＤランプの発光色を変化させる制御モードを指定する機能コードや、明るさを３段階に変化させる上記機能コード＃２や＃３の以外に明るさを４段階あるいは５段階に変化させる機能コード、ＬＥＤランプを点滅させる制御モードを指定する機能コードなどを設けても良い。
【００５２】
本実施形態におけるマイコン２８もしくは受信ユニット３０内のメモリ（ＳＷテーブル）への無線スイッチのＩＤコードおよび機能コードの設定（設定モードの変更）は、例えばリモートコントローラを用いて行うようにすることができる。
リモートコントローラは、例えば図１０（Ｂ）に示すように、電池のような電源５１と、ＩＤコードを不揮発的に記憶するＲＯＭを内蔵したマイコン５２と、ＳＷテーブルの設定コードの書き換えコマンド等を送信する送信器５３と、マイコン５２に対して指令を入力する複数の操作キー（設定開始キー，検索モードキー，実行キー，テンキーなど）を有するキーパッド（キー入力手段）５４と、必要に応じて液晶パネル（ＬＣＤ）などの表示器５５を備えるように構成される。
【００５３】
ところで、既に敷設されている照明システムにおいて、上記のようなリモートコントローラ５０を用いてＬＥＤ電源ユニット１２に対して無線通信で設定モードの変更を行う場合、無線信号が複数の電源ユニットに届いてしまうため１つの電源ユニットに対してピンポイントで変更を行わせるには、上述した構成以外の工夫が必要である。
例えば、制御される側のＬＥＤ電源ユニット（以下、ターゲット機器と称する）にもそれぞれ固有のＩＤコードを付与し、ＬＥＤ電源ユニットのマイコン２８もしくは受信ユニット３０内のメモリに当該ＩＤコードを格納しておくとともに、設定モードの変更を行う際にリモートコントローラより、当該機器のＩＤコード（転送元ＩＤ）の他にターゲット機器のＩＤコード（転送先ＩＤ）と、モード変更等を指示するコマンドコードを送信するように構成することが考えられる。
【００５４】
ただし、上記のように構成したとしても、ＬＥＤ電源ユニットが送信機能を持たずかつリモートコントローラを操作する者がターゲット機器のＩＤコードを把握していない場合には、設定モードの変更は容易ではない。そこで、リモートコントローラ５０のキーパッド５４に例えば検索モードキーを設け、該検索モードキーが操作されるとマイコン５２は自動的にすべてのターゲット機器のＩＤコードとＬＥＤ点灯（または点滅）を指示するコマンドコードを順番に送信する。
【００５５】
そして、所望のＬＥＤ（ターゲット機器）が点灯した時点で、検索モードを解除してそのとき表示器５５に表示されているターゲット機器のＩＤコードおよびモード変更等を指示するコマンドコードを、キーパッド５４を操作して送信する。その後、対応付けをしたい無線スイッチを操作、もしくは無線スイッチのＩＤコードをリモートコントローラよりターゲット機器へ送信すると、ターゲットのＬＥＤ電源ユニットのマイコン２８が、受信したＩＤコードをＳＷテーブルに書き込む（または上書きする）ように構成する。これにより、設定変更をしたいターゲット機器としてのＬＥＤ電源ユニットの機器識別コードが分かっていない場合においても、無線信号送信機器としてのリモコンによってＬＥＤ電源ユニット（電源制御装置）の内部の設定変更を行うことができる。
【００５６】
図１１には、リモートコントローラによるＬＥＤ電源ユニットのテーブルの設定変更処理の手順のフローチャートの一例が示されている。このフローチャートに従った制御プログラムがリモコン５０のマイコン５２内のＲＯＭに格納され、マイコン５２によって実行されることで、テーブルの設定変更処理が実行される。
図１１に示すように、テーブルの設定変更処理においては、先ず設定変更キーが操作されて設定変更が開始されたか否か判定する（ステップＳ１１）。そして、設定変更が開始された（Ｙｅｓ）と判定すると、テンキーよりターゲット機器のＩＤコードが入力されたか否か判定する（ステップＳ１２）。ここで、ＩＤコードが入力された（Ｙｅｓ）と判定すると、ステップＳ１９へジャンプして入力されたＩＤコードと点灯または点滅を指令するコマンドコードとを送信する。また、ステップＳ１２でＩＤコードが入力されていない（Ｎｏ）と判定すると、ステップＳ１３へ移行して、検索モードキーが操作されたか否か判定する。ここで、検索モードキーが操作されていない（Ｎｏ）と判定すると、ステップＳ１２へ戻る。
【００５７】
一方、ステップＳ１３で、検索モードキーが操作された（Ｙｅｓ）と判定すると、ステップＳ１４へ移行して最初のＩＤコードをリモコンの表示器５５に表示する。次に、実行キーが操作されたか否か判定する（ステップＳ１５）。ここで、実行キーが操作されていない場合には、ステップＳ１４で表示したＩＤコードを更新（＋１）する（ステップＳ１６）。次に、全てのＩＤコードが終了したか否か判定し（ステップＳ１７）、終了していない場合には、ステップＳ１４へ戻って更新されたＩＤコードを表示器５５に表示する。
また、ステップＳ１５で実行キーが操作されたと判定した場合には、ステップＳ１９へ移行して表示されているＩＤコードと点灯または点滅を指令するコマンドコードとを送信してテーブル設定変更処理を終了する。一方、ステップＳ１７で、全てのＩＤコードが終了した（Ｙｅｓ）と判定すると、ステップＳ１８へ移行して終了メッセージを表示してテーブル設定変更処理を終了する。なお、図１１に示されている手順は一例であって、このような手順に限定されるものではないし、リモコンのキーパッド５４にどのような機能のキーを設けるかによっても処理手順は異なる。
【００５８】
以上本発明者によってなされた発明を実施形態に基づき具体的に説明したが、本発明は前記実施形態に限定されるものではない。例えば、前記実施形態の照明システムを構成するＬＥＤ電源ユニット１２においては、無線スイッチからの無線信号を受信する機能のみを有するように構成したものを示したが、電源ユニットに送信器を内蔵させて双方向通信可能に構成するようにしても良い。
【００５９】
また、前記第１の実施形態においては、ＬＥＤ電源ユニット１２の本体ケースの表面に設定用スイッチ２９を設けたもの（図２参照）を示したが、設定用スイッチ２９の代わりに所定の波長の光を感知可能な受光素子を設け、該受光素子に向けて光ビームを照射して設定対象の電源ユニットを特定した状態で、リモートコントローラを操作して設定モードの変更を行うように構成することも可能である。
さらに、前記実施形態においては、無線スイッチとリモートコントローラとを別個の無線信号送信機器として構成したものを示したが、一体の機器として構成することも可能である。また、無線スイッチ１４はエネルギー自給型のものに限定されず、バッテリ（小型電池）で動作するものであっても良い。
【００６０】
以上、本発明をその背景となった利用分野であるＬＥＤ照明システムに適用したものを説明したが、本発明はそれに限定されず、ＬＥＤランプ以外の照明器具を使用した照明システムはもちろん、複数のスピーカを設置した音響システムや音声案内システム、種々の香りを放出可能な放香装置を複数設置した放香システム、火災報知機、空調機、電動ブラインド、セキュリティードアなどにも利用することができる。
【符号の説明】
【００６１】
１０  ＡＣ電源
１１ａ，１１ｂ  ＬＥＤランプ（照明器具）
１２ａ，１２ｂ  ＬＥＤ電源ユニット（電源制御装置）
１３  主電源スイッチ
１４  無線スイッチ（第１機能の無線信号送信機器）
１５  電源配線
１６ａ，１６ｂ  ケーブル
２０Ａ  サブ電源系回路
２０Ｂ  メイン電源系回路
５０  リモートコントローラ（第２機能の無線信号送信機器）
【図１】
2011249062.tif 000003
【図２】
2011249062.tif 000004
【図３】
2011249062.tif 000005
【図４】
2011249062.tif 000006
【図５】
2011249062.tif 000007
【図６】
2011249062.tif 000008
【図７】
2011249062.tif 000009
【図８】
2011249062.tif 000010
【図９】
2011249062.tif 000011
【図１０】
2011249062.tif 000012
【図１１】
2011249062.tif 000013
【図１２】
2011249062.tif 000014
【図１３】
2011249062.tif 000015